(57)【特許請求の範囲】
【請求項１】
底面と設置面との間の水を吸水装置により吸い取るための吸水口を含み、背面側への浸水を防止するための堰を形成するウォーターフェンス本体部と、
前記ウォーターフェンス本体部の底部に前記吸水口を取り囲むように周状に設けられ、前記設置面への設置性を向上させる設置力増強部材と、
前記設置力増強部材とは別個に設けられ、背面側の水を前記設置力増強部材により取り囲まれた領域に導く導水部とを備える、ウォーターフェンス。
【請求項２】
前記導水部は、背面側の前記設置力増強部材に設置されている、請求項１に記載のウォーターフェンス。
【請求項３】
前記導水部は、背面側の前記設置力増強部材を貫通するパイプ部材、または、前記背面側の設置力増強部材に嵌め込まれ、前記設置力増強部材よりも吸水率が高い吸水部材の少なくとも一方を含む、請求項２に記載のウォーターフェンス。
【請求項４】
前記導水部は、前記パイプ部材であり、
前記ウォーターフェンス本体部は、所定方向に延びる細長形状に形成され、
前記パイプ部材は、背面側の入口孔と、前記所定方向において、前記入口孔よりも前記吸水口に近い位置に配置される出口孔とを有する、請求項３に記載のウォーターフェンス。
【請求項５】
前記パイプ部材は、前記入口孔から前記出口孔に向かう方向に沿って、前記吸水口に向けて延びている、請求項４に記載のウォーターフェンス。
【請求項６】
前記導水部は、前記パイプ部材であり、
前記設置力増強部材は、前記パイプ部材を挿入する挿入部を有している、請求項３〜５のいずれか１項に記載のウォーターフェンス。
【請求項７】
前記導水部は、前記パイプ部材であり、
前記ウォーターフェンス本体部は、前記底面から突出し、前記設置力増強部材と前記吸水口との間に配置される凸部を含み、
前記凸部には、前記パイプ部材を配置する貫通孔または溝部が設けられている、請求項３〜６のいずれか１項に記載のウォーターフェンス。
【請求項８】
前記ウォーターフェンス本体部は、前記吸水口が設けられる第１本体部と、前記導水部が配置されるとともに、前記第１本体部を挟み込むように一対設けられ、前記第１本体部と接続する第２本体部とを含む、請求項１〜７のいずれか１項に記載のウォーターフェンス。
【発明の詳細な説明】
【技術分野】
【０００１】
この発明は、ウォーターフェンスに関し、特に、浸水を防止するためのウォーターフェンスに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、水嚢（ウォーターフェンス）の設置性を向上させることができるものの、水嚢の背面側に水が回り込んだ場合に、背面側の水を排水することが困難であるという不都合がある。このため、浸水を抑制しつつ、背面側に回り込んだ水を排出することが困難であるという問題点がある。
【０００６】
この発明は、上記のような課題を解決するためになされたものであり、この発明の１つの目的は、浸水を効果的に抑制しつつ、背面側に回り込んだ水を容易に排出することが可能なウォーターフェンスを提供することである。
【課題を解決するための手段】
【０００７】
この発明の一の局面によるウォーターフェンスは、底面と設置面との間の水を吸水装置により吸い取るための吸水口を含み、背面側への浸水を防止するための堰を形成するウォーターフェンス本体部と、ウォーターフェンス本体部の底部に吸水口を取り囲むように周状に設けられ、設置面への設置性を向上させる設置力増強部材と、設置力増強部材とは別個に設けられ、背面側の水を設置力増強部材により取り囲まれた領域に導く導水部とを備える。
【０００８】
この発明の一の局面によるウォーターフェンスでは、上記のように、ウォーターフェンス本体部の底部に吸水口を取り囲むように周状に配置された設置力増強部材とは別個に構成され、背面側の水を設置力増強部材により取り囲まれた領域に導く導水部を設ける。これにより、ウォーターフェンス本体部の背面側に回り込んだ水を導水部から設置力増強部材により取り囲まれた吸水口が設けられた領域に導くことができるので、背面側に回り込んだ水を容易に排出することができる。また、吸水口からウォーターフェンス本体部の底面と設置面との間の水を空気とともに吸い取ることができるので、ウォーターフェンス本体部の底面と設置面との間に負圧を発生させることができる。これにより、ウォーターフェンス本体部の設置性を向上させることができるので、浸水を効果的に抑制することができる。これらの結果、浸水を効果的に抑制しつつ、背面側に回り込んだ水を容易に排出することができる。また、水が背面側に回り込んだとしても排水することができるので、ユーザが浸水した水を拭き取るなどの作業を行う手間を削減することができる。
【０００９】
上記一の局面によるウォーターフェンスにおいて、好ましくは、導水部は、背面側の設置力増強部材に設置されている。このように構成すれば、背面側の設置力増強部材に導水部が設置されるので、浸水した背面側の水を、設置力増強部材により取り囲まれた領域に確実に導くことができる。
【００１０】
この場合、好ましくは、導水部は、背面側の設置力増強部材を貫通するパイプ部材、または、背面側の設置力増強部材に嵌め込まれ、設置力増強部材よりも吸水率が高い吸水部材の少なくとも一方を含む。このように構成すれば、パイプ部材を設けた場合、設置力増強部材の背面側と設置力増強部材の内側の領域とが連通されるので、浸水した背面側の水を、設置力増強部材により取り囲まれた領域に効果的に導くことができる。また、吸水部材を設けた場合、浸水した背面側の水を設置力増強部材により取り囲まれた領域に導くことができるとともに、設置力増強部材により取り囲まれた領域内の気密を保ちやすくすることができる。
【００１１】
上記導水部がパイプ部材または吸水部材の少なくとも一方を含む構成において、好ましくは、導水部は、パイプ部材であり、ウォーターフェンス本体部は、所定方向に延びる細長形状に形成され、パイプ部材は、背面側の入口孔と、所定方向において、入口孔よりも吸水口に近い位置に配置される出口孔とを有する。このように構成すれば、ウォーターフェンス本体部の両端から回り込んだ水を、パイプ部材を介してすぐに排出することができる。
【００１２】
上記パイプ部材が入口孔と出口孔とを有する構成において、好ましくは、導水部は、パイプ部材であり、パイプ部材は、入口孔から出口孔に向かう方向に沿って、吸水口に向けて延びている。このように構成すれば、パイプ部材の出口孔から排出された水を吸水口に向けて流すことができるので、吸水口から吸水されやすくして、効率的に背面側の水を排出することができる。
【００１３】
上記導水部がパイプ部材または吸水部材の少なくとも一方を含む構成において、好ましくは、導水部は、パイプ部材であり、設置力増強部材は、パイプ部材を挿入する挿入部を有している。このように構成すれば、パイプ部材を挿入部に挿入するだけで、パイプ部材を設置力増強部材に設置することができるので、容易にパイプ部材を設置することができる。
【００１４】
上記導水部がパイプ部材または吸水部材の少なくとも一方を含む構成において、好ましくは、ウォーターフェンス本体部は、底面から突出し、設置力増強部材と吸水口との間に配置される凸部を含み、凸部には、パイプ部材を配置する貫通孔または溝部が設けられている。このように構成すれば、溝部または貫通孔によって、凸部によりパイプ部材が押しつぶされて、水がパイプ部材を通過できなくなるのを防止することができる。
【００１５】
上記一の局面によるウォーターフェンスにおいて、好ましくは、ウォーターフェンス本体部は、吸水口が設けられる第１本体部と、導水部が配置されるとともに、第１本体部を挟み込むように一対設けられ、第１本体部と接続する第２本体部とを含む。このように構成すれば、吸水口がウォーターフェンス本体部の中央近傍に配置されるので、浸水した背面側の水を、設置力増強部材により取り囲まれた領域に、ウォーターフェンス本体部の両端部側からバランスよく導くことができる。また、ウォーターフェンス本体部を保管する際に、第１本体部と第２本体部とに分割して保管面積が大きくなることを抑制することができる。すなわち、ウォーターフェンス本体部をコンパクト化することができる。
【発明の効果】
【００１６】
本発明によれば、上記のように、浸水を効果的に抑制しつつ、背面側に回り込んだ水を容易に排出することができる。
【図面の簡単な説明】
【００１７】
【図１】本発明の第１実施形態によるウォーターフェンスを上方から見た斜視図である。
【図２】本発明の第１実施形態によるウォーターフェンスを下方から見た斜視図である。
【図３】本発明の第１実施形態によるウォーターフェンス本体部を下方から見た斜視図である。
【図４】本発明の第１実施形態によるウォーターフェンスの分解斜視図である。
【図５】本発明の第１実施形態によるウォーターフェンスの第１本体部を示した斜視図である。
【図６】本発明の第１実施形態によるウォーターフェンスを底面側から見た図である。
【図７】図６の４００−４００線に沿った断面図である。
【図８】本発明の第１実施形態によるウォーターフェンスの設置力増強部材の特性を示した表である。
【図９】本発明の第１実施形態によるウォーターフェンスの設置力増強部材の水透過の特性を示した表である。
【図１０】本発明の第１実施形態によるウォーターフェンスのチューブ材の特性を示した表である。
【図１１】本発明の第２実施形態によるウォーターフェンスを底面側から見た図である。
【図１２】本発明の第３実施形態によるウォーターフェンスを底面側から見た図である。
【図１３】本発明の第３実施形態によるウォーターフェンスの吸水部材の特性を示した表である。
【図１４】本発明の第１実施形態の第１変形例によるウォーターフェンスの断面図である。
【図１５】本発明の第１実施形態の第２変形例によるウォーターフェンスの断面図である。
【発明を実施するための形態】
【００１８】
以下、本発明の実施形態を図面に基づいて説明する。
【００１９】
［第１実施形態］
図１〜図１０を参照して、本発明の第１実施形態によるウォーターフェンス１００の構成について説明する。
【００２０】
（ウォーターフェンスの構成）
図１〜図１０を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。
【００２１】
ウォーターフェンス１００は、図１および図２に示すように、ウォーターフェンス本体部１と、ウォーターフェンス本体部１の底面１ａに配置される設置力増強部材２とを備えている。ウォーターフェンス１００は、Ｘ方向に延びる細長形状を有しており、Ｙ方向の水を止めるように設置される。また、図１に示すように、ウォーターフェンス１００には、自吸機能を有した自吸ポンプ（以下「ポンプ」と称す）３が接続されている。ポンプ３は、急な増水に対しても信頼性の高い水没使用が可能な防水構造を有するポンプとすることが望ましい。また、ウォーターフェンス本体部１には、重りとして水を注水したり、ペットボトルなどの重り部材を配置可能に構成されている。なお、ポンプ３は、特許請求の範囲の「吸水装置」の一例である。
【００２２】
ウォーターフェンス１００は、図２に示すように、設置力増強部材２の底面に配置されたチューブ材４と、ウォーターフェンス本体部１の背面１ｂ側（Ｙ１方向側）の設置力増強部材２に設置され、背面１ｂ側の設置力増強部材２を貫通するパイプ部材５とを備えている。なお、パイプ部材５は、特許請求の範囲の「導水部」の一例である。
【００２３】
ウォーターフェンス本体部１は、第１本体部１１と、第２本体部１２と、連結部材１３とを含んでいる。第１本体部１１は、パイプ１１ａと、底面１ａと設置面との間の水をポンプ３により吸い取るための吸水口１１ｂが設けられたパイプ１１ｃと、凸部１１１（図参照）と、嵌合部１１２（図４参照）と、筒状部１１３（図５参照）と、板状部１１４（図５参照）と、フランジ部１１５（図５参照）と、肉抜穴１１６（図５参照）とを有している。第２本体部１２は、図５に示すように、重り収容部１２１と、凸部１２２（図３参照）と、嵌合部１２３（図４参照）と、凹部１２４および１２５とを有している。
【００２４】
ウォーターフェンス本体部１は、背面１ｂ側（Ｙ１方向側）への浸水を防止するための堰を形成している。具体的には、ウォーターフェンス本体部１は、柱や壁或いは扉（図示せず）などの前面側（Ｙ２方向側）に配置され、背面１ｂ側（Ｙ１方向側）への浸水を防止する堰を形成している。
【００２５】
また、第２本体部１２は、Ｘ方向において第１本体部１１を挟むように一対設けられ、第１本体部１１に接続するように構成されている。一対の第２本体部１２は、第１本体部１１を挟み込んだ状態で、弾性を有する連結部材１３により挟持されることにより、連結されている。
【００２６】
第１本体部１１は、水を透過させない素材により形成されている。第１本体部１１は、たとえば、ゴムや樹脂或いは金属などにより形成されている。好ましくは、第１本体部１１は、弾性材料により形成されている。また、第１本体部１１は、第２本体部１２よりも比重が大きい材料により形成されている。
【００２７】
図３に示すように、第１本体部１１の下面側（Ｚ２方向側）には、凸部１１１が設けられている。凸部１１１の外側の平坦面１１０には、設置力増強部材２が取り付けられるように構成されている。また、凸部１１１は、図６に示すように、吸水口１１ｂが設けられたパイプ１１ｃをＹ方向に挟み込むように、一対設けられている。また、凸部１１１は、第１本体部１１に連結される第２本体部１２の凸部１２２とつながるように形成されており、長方形のロ字形状の凸部が形成される。この凸部１１１および１２２により設置力増強部材２が略水平方向（ＸＹ方向）にずれることが抑制される。また、凸部１１１は、Ｙ方向において、設置力増強部材２と吸水口１１ｂとの間に配置されている。また、凸部１１１は、底面１ａから下方に突出している。
【００２８】
図４および図５に示すように、第１本体部１１の底部（Ｚ２方向側部）には、第２本体部１２側（Ｘ方向）に凸状に突出する嵌合部１１２が設けられている。嵌合部１１２は、第２本体部１２の嵌合部１２３に嵌合するように構成されている。嵌合部１１２は、図３に示すように、第２本体部１２に覆いかぶさるように、嵌合部１２３に嵌合する。
【００２９】
図５に示すように、筒状部１１３は、上下方向（Ｚ方向）に延びるように形成され、第１本体部１１のＹ方向の中央近傍で、かつ、Ｘ方向の中央近傍に１つ配置されている。また、筒状部１１３は、第２本体部１２の凹部１２４に嵌り込むように構成されている。筒状部１１３の内側には、ポンプ３により底面１ａと設置面との間の水を吸い取るための流路１１３ａが設けられている。
【００３０】
筒状部１１３の上部には、図４に示すように、ポンプ３が接続されるための略Ｌ字形状のパイプ１１ａが挿入されている。パイプ１１ａは、たとえば、金属により形成されている。パイプ１１ａには、設置面とウォーターフェンス１００の底面１ａ（図３参照）との間の水を吸い取るポンプ３が取り付けられるように構成されている。
【００３１】
筒状部１１３の底部には、図３に示すように、吸水口１１ｂが設けられたパイプ１１ｃが挿入されている。パイプ１１ｃは、たとえば、金属により形成されている。パイプ１１ｃの下側（Ｚ２方向側）の端部は、凸部１１１の下端近傍（Ｚ２方向側の端部近傍）に配置されている。これにより、ウォーターフェンス本体部１の底面１ａと設置面との間の水が、ポンプ３により吸水される。なお、パイプ１１ｃの吸水口１１ｂに、異物除去用のフィルターを設けてもよい。
【００３２】
図５に示すように、板状部１１４は、筒状部１１３に対してＹ方向に接続され、Ｙ方向に延びるように形成されている。具体的には、板状部１１４は、筒状部１１３のＹ方向の両側（Ｙ１方向およびＹ２方向）に配置されている。また、板状部１１４は、筒状部１１３の外径よりも小さいＸ方向の幅を有している。
【００３３】
フランジ部１１５は、筒状部１１３の上部に配置されている。また、フランジ部１１５は、略水平方向（ＸＹ方向）に突出するように形成されている。また、フランジ部１１５は、第２本体部１２の凹部１２５（図４参照）に嵌り込むように構成されている。
【００３４】
肉抜穴１１６は、嵌合部１１２に設けられている。また、肉抜穴１１６は、Ｘ方向に延びるように形成されている。これにより、第１本体部１１を軽量化することが可能である。
【００３５】
図１に示すように、第２本体部１２は、直方体の箱型形状を有している。また、第２本体部１２は、Ｘ方向に延びるように形成されている。また、第２本体部１２は、水を透過させない素材により形成されている。第２本体部１２は、たとえば、発泡スチロールやゴムや樹脂或いは金属などにより形成されている。好ましくは、第２本体部１２は、発泡材料により形成されている。第２本体部１２の重り収容部１２１は、上方が開放された凹状に形成されている。重り収容部１２１の内側には、重りとして水を注水したり、ペットボトルなどが収容されるように構成されている。
【００３６】
図３に示すように、第２本体部１２の下面側（Ｚ２方向側）には、凸部１２２が設けられている。凸部１２２の外側の平坦面１２０には、設置力増強部材２が取り付けられるように構成されている。また、凸部１２２は、図６に示すように、平面視において（Ｚ方向から見て）、略Ｕ字形状に形成されている。また、凸部１２２は、第２本体部１２に連結される第１本体部１１の凸部１１１とつながるように形成されている。また、凸部１２２は、Ｙ方向において、設置力増強部材２と吸水口１１ｂとの間に配置されている。また、凸部１２２は、図７に示すように、底面１ａから下方に突出している。
【００３７】
凸部１２２には、図３および図６に示すように、パイプ部材５を配置する溝部１２２ａ（図３の２点鎖線で囲まれる部分）が設けられている。具体的には、平面視において（Ｚ方向から見て）、凸部１２２とパイプ部材５とが重なることがないように、凸部１２２には、Ｘ方向において、背面１ｂ側（Ｙ１方向側）の設置力増強部材２からパイプ部材５が突出している所定範囲で、上方に凹む溝部１２２ａが設けられている。したがって、設置力増強部材２が圧縮された際に、溝部１２２ａによって、凸部１２２が、パイプ部材５と接触することがないように構成されている。このため、凸部１２２は、設置力増強部材２が圧縮された際に、パイプ部材５を押しつぶさない（パイプ部材５と接触しない）ように構成されている。溝部１２２ａの底面（Ｚ１方向側の面）は、Ｚ方向において、ウォーターフェンス本体部１の底面１ａと、面一になっている。
【００３８】
図４に示すように、嵌合部１２３は、第２本体部１２の底部（Ｚ２方向側部）に設けられ、凹状に形成されており、凸状の嵌合部１１２が嵌合するように構成されている。凹部１２４は、第１本体部１１および第２本体部１２を組み合わせた場合に、第１本体部１１の筒状部１１３が第２本体部１２の凹部１２４に嵌り込む（係合する）ように構成されている。凹部１２５は、第１本体部１１および第２本体部１２を組み合わせた場合に、第１本体部１１のフランジ部１１５が第２本体部１２の凹部１２５に嵌り込む（係合する）ように構成されている。
【００３９】
図２に示すように、設置力増強部材２は、ウォーターフェンス本体部１の底部（底面１ａ）に、パイプ１１ｃの吸水口１１ｂを取り囲むように矩形の周状（枠状）に設けられている。また、設置力増強部材２は、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。また、設置力増強部材２は、ウォーターフェンス本体部１のＸ方向の両側の外表面、および、Ｙ方向の両側の外表面に沿って配置されている。
【００４０】
具体的には、設置力増強部材２は、ウォーターフェンス本体部１の自重と、ペットボトルなどの重りの重力と、ポンプ３が吸水することにより生じる負圧とにより、圧縮されるように構成されている。設置力増強部材２は、圧縮によって水の透過率が所定の値となることにより、ウォーターフェンス本体部１の底面１ａと設置面との間に外部からの水を所定量透過させてポンプ３の自吸水を確保するように構成されている。
【００４１】
設置力増強部材２は、半連続気泡構造を有しており、圧縮変形されることにより水の透過率が変化するように構成されている。設置力増強部材２は、たとえば、半連続気泡構造の気孔率５０％〜６０％程度のやわらかいスポンジ材により形成されている。また、設置力増強部材２は、半連続気泡構造のスポンジが圧縮されることによりスポンジの孔が小さくなり、水の透過率が変わるように構成されている。また、設置力増強部材２は、圧縮力がかからない状態において、たとえば、約２０ｍｍ以上約３０ｍｍ以下の高さを有する。重り収容部１２１に水などの重りが収容されてポンプ３が駆動された場合、半連続気泡構造のスポンジは、５０〜８０％程度圧縮されることが望ましい。また、設置力増強部材２は、第１本体部１１よりも柔らかい材料により形成されている。
【００４２】
ポンプ３は、設置力増強部材２を透過した水を、設置面内側の空間（周状の設置力増強部材２に囲まれた空間）の空気と共に吸引するように構成されている。つまり、設置力増強部材２により吸水された水が第１本体部１１の筒状部１１３の内側の流路１１３ａ（図５参照）を介してポンプ３に吸引されるように構成されている。
【００４３】
また、ポンプ３により、設置力増強部材２を透過した水を、設置面内側の空間の空気と共に吸引することにより、ウォーターフェンス本体部１と設置面との間の空間の真空度が上げられる（空間の気圧が下がる）。これにより、設置面に対してウォーターフェンス本体部１を安定させて配置することが可能に構成されている。その結果、ウォーターフェンス本体部１が水により押されて変形したり、流されたりすることを効果的に抑制することが可能である。
【００４４】
また、設置力増強部材２は、第１本体部１１の凸部１１１の外側の平坦面１１０（図３参照）および第２本体部１２の凸部１２２の外側の平坦面１２０（図３参照）に取り付けられるように構成されている。具体的には、設置力増強部材２は、両面テープなどの接着層を介して、第１本体部１１および第２本体部１２の底面１ａに取り付けられる。また、設置力増強部材２は、図２に示すように、平面視（Ｚ方向から見て）において、Ｙ方向の端部が、第２本体部１２の細い部分と略面一となるように配置されている。また、図２および図６に示すように、設置力増強部材２は、平面視において（Ｚ方向から見て）、ウォーターフェンス本体部１の底面１ａの外周部に環状に配置されている。
【００４５】
また、設置力増強部材２は、図４に示すように、分割可能に構成されている。具体的には、設置力増強部材２は、第１本体部１１に取り付けられる設置力増強部材２１と、第２本体部１２に取り付けられる設置力増強部材２２とに分割可能である。つまり、設置力増強部材２１を第１本体部１１に取り付け、設置力増強部材２２を第２本体部１２に取り付けた状態で、第１本体部１１および第２本体部１２を、分割すること、または、組み立てることが可能である。
【００４６】
また、設置力増強部材２１の端部は、組み立てる前において、第１本体部１１の端部（側面）からＸ方向に突出して構成されていることが望ましい。たとえば、Ｘ１方向側の設置力増強部材２１の端部が、Ｘ１方向側の第１本体部１１の端部よりも５〜１０ｍｍ程度突出し、さらに、Ｘ２方向側の設置力増強部材２１の端部が、Ｘ２方向側の第１本体部１１の端部よりも５〜１０ｍｍ程度突出して構成されることが望ましい。なお、設置力増強部材２１のＸ方向における端部は、第１本体部１１の端部を面一に揃え、設置力増強部材２２の端部が、第２本体部１２の端部からＸ方向（設置力増強部材２１側）に５〜１０ｍｍ程度突出して構成してもよい。また、設置力増強部材２１のＸ方向側の端部を、第１本体部１１の端部からＸ方向（設置力増強部材２２側）に３〜５ｍｍ程度突出させ、さらに、設置力増強部材２２のＸ方向側の端部を、第２本体部１２の端部からＸ方向（設置力増強部材２１側）に３〜５ｍｍ程度突出させて構成してもよい。また、突出量は、ウォーターフェンス１００のＸ方向の長さ、設置力増強部材２の硬さなどに応じて適宜設定してもよい。
【００４７】
これにより、第１本体部１１と第２本体部１２を組立ててウォーターフェンス本体部１を形成した場合に、第１本体部１１に設けられた設置力増強部材２１と第２本体部１２に設けられた設置力増強部材２２同士が圧縮されて端部が合わされる。したがって、設置力増強部材２１と設置力増強部材２２の端部間に隙間が生じるのを抑制して、密着させた状態でウォーターフェンス１００を組み立てることができるので、ウォーターフェンス本体部１と設置面との間の気密性を高めることができる。その結果、ポンプ３の吸引により、ウォーターフェンス本体部１と設置面との間の空間（図６に示す領域Ａ）の真空度を効果的に上げる（空間の気圧を下げる）ことが可能である。なお、設置力増強部材２１、設置力増強部材２２のいずれか一方、あるいは両方が、第１本体部１１および第２本体部１２の端部より、Ｘ方向にわずかに突出させて構成されていればよいので、上記の形態に限定されるものではない。
【００４８】
ポンプ３は、ウォーターフェンス本体部１の底面１ａと設置面との間の水を空気とともに吸い取るように構成されている。また、ポンプ３は、水深が浅い水を吸水可能に構成されている。これにより、ポンプ３は、設置面とウォーターフェンス本体部１の底面１ａとの間に浸水した少量の水を効果的に排水することが可能である。
【００４９】
設置力増強部材２２は、図６および図７に示すように、パイプ部材５を挿入する挿入部２２ａを有している。挿入部２２ａは、設置力増強部材２２の下面に設けられる切り込みである。パイプ部材５は、この切り込み状の挿入部２２ａを介して設置力増強部材２２内に挿入される。したがって、挿入部２２ａは、平面視において（Ｚ方向から見て）、パイプ部材５と重なる位置に設けられている。
【００５０】
図２に示すように、チューブ材４は、設置力増強部材２の底面に配置されている。また、チューブ材４は、設置力増強部材２よりも低い吸水率を有するとともに、設置力増強部材２よりも柔らかい。具体的には、チューブ材４は、中空形状を有する管状部材である。また、チューブ材４は、外力により変形しやすい材料により形成されている。たとえば、チューブ材４は、ゴムにより形成されている。また、チューブ材４は、設置力増強部材２に、接着層を介して貼りつけられている。
【００５１】
また、チューブ材４は、圧縮されて変形することにより、設置面の目地などの凹凸に食い込むとともに、設置力増強部材２を設置面に密着させるように構成されている。また、チューブ材４は、設置力増強部材２よりも小さい幅を有する。また、図２および図６に示すように、チューブ材４は、設置力増強部材２に沿って配置されている。具体的には、チューブ材４は、平面視において（Ｚ方向から見て）略ロ字形状に配置された設置力増強部材２に沿って、略ロ字形状に配置されている。また、チューブ材４は、設置力増強部材２の略中央に配置されている。
【００５２】
また、第１実施形態では、チューブ材４は、図４に示すように、分割可能に構成されている。具体的には、チューブ材４は、第１本体部１１（設置力増強部材２１）に取り付けられるＩ字状のチューブ材４１と、第２本体部１２（設置力増強部材２２）に取り付けられるＣ字状のチューブ材４２とに分割可能である。
【００５３】
チューブ材４１の端部と、チューブ材４２の端部とは、平面視において（Ｚ方向から見て）、互いにＹ方向にずれた状態で配置されている。つまり、チューブ材４１の端部と、チューブ材４２の端部とは、略水平方向（ＸＹ方向）に重なることがないように配置されている。
【００５４】
上記の通り、パイプ部材５は、図６に示すように、背面１ｂ側（Ｙ１方向側）の設置力増強部材２２（２）に設置され、背面１ｂ側の設置力増強部材２２を貫通している。また、パイプ部材５は、１つの設置力増強部材２２に対して１つ設けられている。また、パイプ部材５は、筒状に形成されている。また、パイプ部材５は、設置力増強部材２２とは別個に設けられており、背面１ｂ側（Ｙ１方向側）の水を設置力増強部材２２により取り囲まれた領域Ａ（図６の２点鎖線で囲まれる領域）に導くように構成されている。つまり、パイプ部材５は、ポンプ３が吸水することにより領域Ａに生じる負圧によって、浸水した水を背面１ｂ側（Ｙ１方向側）から吸水口１１ｂ側（領域Ａ側）に導くように構成されている。なお、一例ではあるが、パイプ部材５としては、市販のストローなどを用いることができる。
【００５５】
パイプ部材５は、入口孔５ａと、出口孔５ｂとを有している。入口孔５ａは、パイプ部材５のＹ１方向側の一端に設けられ、背面１ｂ側に設けられる浸水した水を取り込むための取込口である。出口孔５ｂは、パイプ部材５のＹ２方向側の他端に設けられ、入口孔５ａから取り込んだ水を設置力増強部材２により取り囲まれた領域Ａに排出するための排出口である。また、出口孔５ｂは、細長形状のウォーターフェンス本体部１が延びる方向（Ｘ方向）において、入口孔５ａよりも吸水口１１ｂに近い位置（内側）に配置されている。要するに、パイプ部材５は、平面視において、背Ｙ２方向側に向かうにつれて、ウォーターフェンス本体部１の内側に延びている。
【００５６】
パイプ部材５は、入口孔５ａから出口孔５ｂに向かう方向に沿って、吸水口１１ｂに向けて延びている。したがって、平面視において（Ｚ方向から見て）、入口孔５ａ、出口孔５ｂおよび吸水口１１ｂは、略一直線上に配置されている。このため、パイプ部材５は、出口孔５ｂから吸水口１１ｂに向けて水を排出することが可能なように構成されている。また、パイプ部材５は、図７に示すように、略水平方向（ＸＹ方向）に延びている。
【００５７】
図８を参照して、設置力増強部材２の特性の一例について説明する。
【００５８】
設置力増強部材２は、たとえば、見掛け密度が１１０ｋｇ／ｍ3であり、引張強さが８０ｋＰａであり、伸びが４５０％である。また、設置力増強部材２は、圧縮硬さが、圧縮率が２５％の場合、３．３ｋＰａであり、圧縮率が５０％の場合、４．５ｋＰａである。
【００５９】
図９を参照して、設置力増強部材２の特性（水透過）の一例について説明する。
【００６０】
水透過について、設置力増強部材２は、圧縮率が６０％の場合、水深１００ｍｍの水頭圧（１００ｍｍＨ2Ｏ＝０．０１ｋｇｆ／ｃｍ2≒０．９８ｋＰａ）に対して、１０分以内に水漏れがあった。また、設置力増強部材２は、圧縮率が７０％の場合、水深１００ｍｍの水頭圧（１００ｍｍＨ2Ｏ＝０．０１ｋｇｆ／ｃｍ2≒０．９８ｋＰａ）に対して、１０分を超えて３０分以内に水漏れがあった。また、設置力増強部材２は、圧縮率が８０％および９０％の場合、水深１００ｍｍの水頭圧（１００ｍｍＨ2Ｏ＝０．０１ｋｇｆ／ｃｍ2≒０．９８ｋＰａ）に対して、３０分間水漏れしなかった。なお、水透過について、１０分以内に水漏れがあった場合、「△」と示し、１０分を超えて３０分以内に水漏れがあった場合、「○」と示し、３０分間水漏れしなかった場合、「◎」と示している。
【００６１】
設置力増強部材２に用いる気孔率５０％〜６０％程度の半連続気泡構造のスポンジ材は、圧縮率に応じた透過率となる。また、設置力増強部材２は、５０％以上８０％以下の圧縮率になるように圧縮抑制することにより、半連続気泡構造のスポンジを透過する水量をポンプ３の呼び水として適度な透過水量に抑えることが可能である。また、設置力増強部材２（スポンジ）を透過した水をポンプ３で排水するのでウォーターフェンス本体部１を越えて浸水させないようにすることが可能である。つまり、ポンプ３を駆動させた場合に、設置力増強部材２の圧縮率が５０％以上８０％以下になることが好ましい。
【００６２】
図１０を参照して、チューブ材４の特性の一例について説明する。
【００６３】
チューブ材４は、たとえば、見掛け密度が７８０ｋｇ／ｍ3であり、引張強さが３４０ｋＰａであり、伸びが７５０％である。つまり、チューブ材４は、設置力増強部材２よりも柔らかい。また、チューブ材４は、２００％に伸ばした際の引張応力が８０ｋＰａである。なお、引張強さ、伸び率、２００％引張応力は、長さ１０ｃｍのチューブ材４に２．５ｍｍほどの切り込みを入れて試験を行った。また、チューブ材４は、吸水率が１．０％以下である。つまり、チューブ材４は、設置力増強部材２よりも低い吸水率を有する。
【００６４】
（第１実施形態の効果）
第１実施形態では、以下のような効果を得ることができる。
【００６５】
第１実施形態では、上記のように、ウォーターフェンス本体部１の底部に吸水口１１ｂを取り囲むように周状に配置された設置力増強部材２とは別個に構成され、背面１ｂ側の水を設置力増強部材２により取り囲まれた領域Ａに導くパイプ部材５を設ける。これにより、ウォーターフェンス本体部１の背面１ｂ側に回り込んだ水をパイプ部材５から設置力増強部材２により取り囲まれた吸水口１１ｂが設けられた領域Ａに導くことができるので、背面１ｂ側に回り込んだ水を容易に排出することができる。また、吸水口１１ｂからウォーターフェンス本体部１の底面１ａと設置面との間の水を空気とともに吸い取ることができるので、ウォーターフェンス本体部１の底面１ａと設置面との間に負圧を発生させることができる。これにより、ウォーターフェンス本体部１の設置性を向上させることができるので、浸水を効果的に抑制することができる。これらの結果、浸水を効果的に抑制しつつ、背面１ｂ側に回り込んだ水を容易に排出することができる。また、水が背面１ｂ側に回り込んだとしても排水できるので、ユーザが浸水した水を拭き取るなどの作業を行う手間を削減することができる。
【００６６】
また、第１実施形態では、上記のように、パイプ部材５を、背面１ｂ側の設置力増強部材２に設置する。これにより、背面１ｂ側の設置力増強部材２にパイプ部材５が設置されるので、浸水した背面１ｂ側の水を、設置力増強部材２により取り囲まれた領域Ａに確実に導くことができる。
【００６７】
また、第１実施形態では、上記のように、背面１ｂ側の設置力増強部材２を貫通する筒状のパイプ部材５により排水を行う。これにより、パイプ部材５によって、設置力増強部材２の背面１ｂ側と設置力増強部材２の内側の領域Ａとが連通されるので、浸水した背面１ｂ側の水を、設置力増強部材２により取り囲まれた領域Ａに効果的に導くことができる。
【００６８】
また、第１実施形態では、上記のように、ウォーターフェンス本体部１を、所定方向に延びる細長形状に形成し、パイプ部材５に、背面１ｂ側の入口孔５ａと、所定方向において、入口孔５ａよりも吸水口１１ｂに近い位置に配置される出口孔５ｂと設ける。これにより、ウォーターフェンス本体部１の両端から回り込んだ水を、パイプ部材５を介してすぐに排出することができる。
【００６９】
また、第１実施形態では、上記のように、パイプ部材５を、入口孔５ａから出口孔５ｂに向かう方向に沿って、吸水口１１ｂに向けて延びるように構成する。これにより、パイプ部材５の出口孔５ｂから排出された水を吸水口１１ｂに向けて流すことができるので、吸水口１１ｂから吸水されやすくして、効率的に背面１ｂ側の水を排出することができる。
【００７０】
また、第１実施形態では、上記のように、設置力増強部材２に、パイプ部材５を挿入する挿入部２２ａを設ける。これにより、パイプ部材５を挿入部２２ａに挿入するだけで、パイプ部材５を設置力増強部材２に設置することができるので、容易にパイプ部材５を設置することができる。
【００７１】
また、第１実施形態では、上記のように、ウォーターフェンス本体部１に、底面１ａから突出し、設置力増強部材２と吸水口１１ｂとの間に配置される凸部１２２を設け、凸部１２２に、パイプ部材５を配置する溝部１２２ａを設ける。これにより、溝部１２２ａによって、凸部１２２によりパイプ部材５が押しつぶされて、水がパイプ部材５を通過できなくなるのを防止することができる。
【００７２】
また、第１実施形態では、上記のように、吸水口１１ｂが設けられる第１本体部１１と、パイプ部材５が配置されるとともに、第１本体部１１を挟み込むように一対設けられ、第１本体部１１と接続する第２本体部１２とを、ウォーターフェンス本体部１に設ける。これにより、吸水口１１ｂがウォーターフェンス本体部１の中央近傍に配置されるので、浸水した背面１ｂ側の水を、設置力増強部材２により取り囲まれた領域Ａに、ウォーターフェンス本体部１の両端部側からバランスよく導くことができる。また、ウォーターフェンス本体部１を保管する際に、第１本体部１１と第２本体部１２とに分割して保管面積が大きくなることを抑制することができる。すなわち、ウォーターフェンス本体部１をコンパクト化することができる。
【００７３】
［第２実施形態］
次に、図１および図１１を参照して、本発明の第２実施形態について説明する。この第２実施形態では、パイプ部材５が吸水口１１ｂに向けて延びている上記第１実施形態とは異なり、パイプ部材５１が吸水口１１ｂに向かう方向とは異なる方向に延びている例について説明する。なお、パイプ部材５１は、特許請求の範囲の「導水部」の一例である。
【００７４】
（ウォーターフェンスの構成）
本発明の第２実施形態によるウォーターフェンス２００（図１参照）は、図１１に示すように、ウォーターフェンス本体部１と、設置力増強部材２とを備えている。また、ウォーターフェンス本体部１には、自吸機能を有したポンプ３（図１参照）が接続されている。また、ウォーターフェンス２００は、チューブ材４と、パイプ部材５１とを備えている。なお、ポンプ３は、特許請求の範囲の「吸水装置」の一例である。
【００７５】
パイプ部材５１は、ウォーターフェンス本体部１の背面１ｂ側（Ｙ１方向側）の設置力増強部材２２（２）に設置され、背面１ｂ側の設置力増強部材２２を貫通している。また、パイプ部材５１は、１つの設置力増強部材２２に対して１つ設けられている。また、パイプ部材５１は、筒状に形成されている。また、パイプ部材５１は、設置力増強部材２２とは別個に設けられており、背面１ｂ側（Ｙ１方向側）の水を設置力増強部材２により取り囲まれた領域Ａ（図１１の２点鎖線で囲まれる領域）に導くように構成されている。つまり、パイプ部材５１は、ポンプ３が吸水することにより領域Ａに生じる負圧によって、浸水した水を背面１ｂ側（Ｙ１方向側）から吸水口１１ｂ側（領域Ａ側）に導くように構成されている。また、パイプ部材５１は、ウォーターフェンス本体部１の背面１ｂに略直交する方向（概ねＹ方向）に延びている。なお、パイプ部材５１としては、市販のストローなどを用いることができる。
【００７６】
パイプ部材５１は、入口孔５１ａと、出口孔５１ｂとを有している。入口孔５１ａは、パイプ部材５１のＹ１方向側の一端であり、背面１ｂ側に設けられる浸水した水を取り込むための取込口である。出口孔５１ｂは、パイプ部材５１のＹ２方向側の他端であり、入口孔５１ａから取り込んだ水を設置力増強部材２により取り囲まれた領域Ａに排出するための排出口である。また、パイプ部材５１がＸ方向に延びていることから、当然、出口孔５１ｂと入口孔５１ａとは、Ｙ方向に並ぶように配置されている。
【００７７】
なお、第２実施形態のその他の構成は、上記第１実施形態と同様である。
【００７８】
（第２実施形態の効果）
第２実施形態では、以下のような効果を得ることができる。
【００７９】
なお、第２実施形態のその他の効果は、上記第１実施形態と同様である。
【００８０】
第２実施形態では、上記第１実施形態と同様に、ウォーターフェンス本体部１の底部に吸水口１１ｂを取り囲むように周状に配置された設置力増強部材２とは別個に構成され、背面１ｂ側の水を設置力増強部材２により取り囲まれた領域Ａに導くパイプ部材５１を設ける。これにより、浸水を効果的に抑制しつつ、背面１ｂ側に回り込んだ水を容易に排出することができる。
【００８１】
［第３実施形態］
次に、図１、図１２および図１３を参照して、本発明の第３実施形態について説明する。この第３実施形態では、背面１ｂ側に浸水した水を吸水口１１ｂ側に導くためにパイプ部材５を用いた上記第１実施形態とは異なり、背面１ｂ側に浸水した水を吸水口１１ｂ側に導くために吸水部材５２を用いた例について説明する。なお、吸水部材５２は、特許請求の範囲の「導水部」の一例である。
【００８２】
（ウォーターフェンスの構成）
本発明の第３実施形態によるウォーターフェンス３００（図１参照）は、図１２に示すように、ウォーターフェンス本体部１と、設置力増強部材２とを備えている。また、ウォーターフェンス本体部１には、自吸機能を有したポンプ３（図１参照）が接続されている。また、ウォーターフェンス３００は、チューブ材４と、吸水部材５２とを備えている。なお、ポンプ３は、特許請求の範囲の「吸水装置」の一例である。
【００８３】
吸水部材５２は、ウォーターフェンス本体部１の背面１ｂ側（Ｙ１方向側）の設置力増強部材２２（２）に設置され、背面１ｂ側の設置力増強部材２２を貫通している。また、吸水部材５２は、１つの第２本体部１２に対して１つ設けられている。吸水部材５２は、ブロック状に形成されている。また、吸水部材５２は、上下方向（Ｚ方向）において、設置力増強部材２と同じ範囲に配置されている。また、吸水部材５２は、設置力増強部材２よりも吸水率が高い材料により形成されている。たとえば、吸水部材５２は、メラミンスポンジにより形成されている。
【００８４】
吸水部材５２は、設置力増強部材２２とは別個に設けられており、背面１ｂ側（Ｙ１方向側）の水を設置力増強部材２により取り囲まれた領域Ａ（図１２の２点鎖線で囲まれる領域）に導くように構成されている。つまり、吸水部材５２は、ポンプ３が吸水することにより領域Ａに生じる負圧によって、浸水した水を背面１ｂ側（Ｙ１方向側）から吸水口１１ｂ側（領域Ａ側）に導くように構成されている。なお、一例ではあるが、吸水部材５２のＸ方向の大きさは、１０ｍｍ〜５０ｍｍ程度にするのが好ましい。
【００８５】
図１３を参照して、吸水部材５２の特性の一例について説明する。
【００８６】
吸水部材５２は、たとえば、見掛け密度が９．２ｋｇ／ｍ3であり、引張強さが１４９ｋＰａであり、伸びが２４％である。また、吸水部材５２は、圧縮硬さが、圧縮率が８．５％の場合、３．３ｋＰａであり、圧縮率が４０％の場合、１１ｋＰａである。また、吸水部材５２は、吸水率が１１０２０％である。つまり、吸水部材５２は、吸水性が非常に高く、設置力増強部材２よりも高い吸水率を有する。これにより、ウォーターフェンス本体部１の背面側に回りこんだ水が少量であっても、吸水部材５２がウォーターフェンス本体部１の背面側に回りこんだ水で湿りさえすれば、ポンプ３の吸引によって、ウォーターフェンス本体部１の背面側に回りこんだ水を、吸水部材５２を透過させて吸水口１１ｂを介して排出することができる。
【００８７】
なお、第３実施形態のその他の構成は、上記第１実施形態と同様である。
【００８８】
（第３実施形態の効果）
第３実施形態では、以下のような効果を得ることができる。
【００８９】
なお、第３実施形態のその他の効果は、上記第１実施形態と同様である。
【００９０】
第３実施形態では、上記第１実施形態と同様に、ウォーターフェンス本体部１の底部に吸水口１１ｂを取り囲むように周状に配置された設置力増強部材２とは別個に構成され、背面１ｂ側の水を設置力増強部材２により取り囲まれた領域Ａに導く吸水部材５２を設ける。これにより、浸水を効果的に抑制しつつ、背面１ｂ側に回り込んだ水を容易に排出することができる。
【００９１】
また、第３実施形態では、上記のように、背面１ｂ側の設置力増強部材２に嵌め込まれ、設置力増強部材２よりも吸水率が高い吸水部材５２により排水を行う。これにより、吸水部材５２によって、浸水した背面１ｂ側の水を設置力増強部材２により取り囲まれた領域Ａに導くことができるとともに、設置力増強部材２により取り囲まれた領域Ａ内の気密を保ちやすくすることができる。
【００９２】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９３】
たとえば、上記第１〜第３実施形態では、第２本体部に導水部（パイプ部材または吸水部材）を設けた例を示したが、本発明はこれに限らない。本発明では、第１本体部に導水部を設けてもよい。
【００９４】
また、上記第１〜第３実施形態では、ウォーターフェンス本体部にパイプ部材および吸水部材の一方のみを設けた例を示したが、本発明はこれに限らない。本発明では、ウォーターフェンス本体部にパイプ部材および吸水部材の両方を設けてもよい。
【００９５】
また、上記第１〜第３実施形態では、１つの第２本体部に対して、１つのパイプ部材（吸水部材）を設けた例を示したが、本発明はこれに限らない。本発明では、１つの第２本体部に対して、複数のパイプ部材（吸水部材）を設けてもよい。
【００９６】
また、上記第１〜第３実施形態では、ウォーターフェンスが一対の第２本体部を備える構成の例を示したが、本発明はこれに限らない。本発明では、第１本体部を挟むように一体の第２本体部を配置してもよいし、第１本体部の一方側のみに第２本体部を配置してもよい。また、ウォーターフェンスが３つ以上の第２本体部を備えていてもよい。
【００９７】
また、上記第１〜第３実施形態では、凸部を周状の設置力増強部材の内周側の略全域に沿って配置した例を示したが、本発明はこれに限らない。本発明では、凸部を周状の設置力増強部材の内周側の一部分に沿って配置してもよい。
【００９８】
また、上記第１〜第３実施形態では、設置力増強部材が、１層により形成されている例を示したが、本発明はこれに限らない。本発明では、設置力増強部材を２層以上により形成してもよい。
【００９９】
たとえば、設置力増強部材を１層により形成した場合、設置力増強部材を、気孔率８０％〜９０％程度のスポンジ材により形成してもよい。また、設置力増強部材を、吸水率が高い材料により形成してもよい。たとえば、設置力増強部材を、ＰＶＡ（ポリビニールアルコール）製のスポンジ材により形成してもよい。
【０１００】
また、上記第１および第２実施形態では、設置力増強部材に切り込み状の挿入部を設けて、挿入部にパイプ部材を設置した例を示したが、本発明はこれに限らない。本発明では、設置力増強部材に貫通孔状の挿入部を設けて、挿入部にパイプ部材を設置してもよい。
【０１０１】
また、上記第１および第２実施形態では、パイプ部材が凸部に押しつぶされないようにするために、凸部に溝部を設けた例を示したが、本発明はこれに限らない。本発明では、パイプ部材近傍の凸部に貫通孔を設けて、パイプ部材が凸部に押しつぶされないようにしてもよい。
【０１０２】
また、上記第１および第２実施形態では、筒状のパイプ部材を用いた例を示したが、本発明はこれに限らない。本発明では、背面側の設置力増強部材を貫通し、設置力増強部材が圧縮された際に押しつぶされない形状であれば、筒状のパイプ部材でなくてもよい。たとえば、図１４に示す第１実施形態の第１変形例のように、ウォーターフェンス９００の断面において矩形の枠状となるパイプ部材９０１を用いてもよい。また、図１５に示す第１実施形態の第２変形例のように、ウォーターフェンス９００ａの断面において矩形のコ字状（Ｃ字状）となるパイプ部材９０１ａ（Ｃ型パイプ部材）を用いてもよい。
【０１０３】
また、上記第１〜第３実施形態では、ウォーターフェンスにチューブ材を設けた例を示したが、本発明はこれに限らない。本発明では、ウォーターフェンスにチューブ材を設けなくてもよい。
【０１０４】
また、上記第１〜第３実施形態では、設置力増強部材の下方側に、中空形状のチューブ材を設けた例を示したが、本発明はこれに限らない。本発明では、設置力増強部材の下方側に、中実形状の柱状部材を設けてもよい。
【０１０５】
また、上記第１〜第３実施形態では、ウォーターフェンスに入れる重りとして水を注水したり、ペットボトルを用いた例を示したが、本発明はこれに限らない。本発明では、水やペットボトル以外の部材などを重りとして用いてもよい。たとえば、バーベルや、石、砂、土などを重りとして用いてもよい。
【０１０６】
また、上記第１〜第３実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【符号の説明】
【０１０７】
１  ウォーターフェンス本体部
１ａ  底面
１ｂ  背面
２、２１、２２  設置力増強部材
３  ポンプ（吸水装置）
５、５１、９０１、９０１ａ  パイプ部材（導水部）
５ａ、５１ａ  入口孔
５ｂ、５１ｂ  出口孔
１１  第１本体部
１１ｂ  吸水口
１２  第２本体部
２２ａ  挿入部
５２  吸水部材（導水部）
１００、２００、３００、９００、９００ａ  ウォーターフェンス
１２２  凸部
１２２ａ  溝部
Ａ  設置力増強部材により取り囲まれた領域
【図１】
0006612188.tif 000002
【図２】
0006612188.tif 000003
【図３】
0006612188.tif 000004
【図４】
0006612188.tif 000005
【図５】
0006612188.tif 000006
【図６】
0006612188.tif 000007
【図７】
0006612188.tif 000008
【図８】
0006612188.tif 000009
【図９】
0006612188.tif 000010
【図１０】
0006612188.tif 000011
【図１１】
0006612188.tif 000012
【図１２】
0006612188.tif 000013
【図１３】
0006612188.tif 000014
【図１４】
0006612188.tif 000015
【図１５】
0006612188.tif 000016